(57)【要約】【課題】大量の試験を短時間に行う場合に、安全で使い易いクロマトグラフィ用試薬反応容器を提供する。【解決手段】試験片が挿入される開口を有する受け入れ部と，底部に試料を収容する試料収容部と，前記受け入れ部と前記試料収容部との間に位置する中間部とを備える試薬反応容器であって，底部内側に試験片の回転を防止するための突起状のリブを設けたことを特徴とする試薬反応容器、及び、その内面の長手方向に直角な断面が略楕円状であり、前記リブがその長径に平行な部分の内側に設けられている試薬反応容器及び、試験片を試薬反応容器に挿入した際の試験片の判定部に対応する位置に，試験片の判定部を示す表示を有する試薬反応容器。【選択図】図１
2010091448.tif 000002
【特許請求の範囲】
【請求項１】
試験片が挿入される開口を有する受け入れ部と，底部に試料を収容する試料収容部と，前記受け入れ部と前記試料収容部との間に位置する中間部とを備える試薬反応容器であって，底部内側に試験片の回転を防止するための突起状のリブを設けたことを特徴とする試薬反応容器。
【請求項２】
前記試薬反応容器の内面は長手方向に直角な断面が略楕円状であり、前記リブがその長径に平行な部分の内側に設けられていることを特徴とする請求項１に記載の試薬反応容器。
【請求項３】
前記試薬反応容器は，前記試験片を試薬反応容器に挿入した際の試験片の判定部に対応する位置に，試験片の判定部を示す表示を有することを特徴とする請求項１または２に記載の試薬反応容器。
【発明の詳細な説明】
【技術分野】
【０００１】
本発明は，主にクロマトグラフィ用の試薬反応容器に関する。
【背景技術】
【０００２】
血液，血清，咽頭拭い液，鼻腔拭い液，鼻汁，尿などの体液を検体として用いて，簡易に各種疾患の検査を行う方法としてクロマトグラフィを用いる方法がある。特に，抗原抗体反応を利用して検体中の被検出物質（病原性ウィルスなど）を検出するイムノクロマトグラフィが一般的に用いられる。
【０００３】
イムノクロマトグラフィは，被検出物質を検出するためのイムノクロマトグラフィ用試験片と，前記試料を収容できる試薬反応容器とからなるイムノクロマトグラフィ用キットを利用して行うことができる。前記試験片は，通常，基材上に，試料に浸漬される試料添加部と，試料中の被検出物質と抗原抗体反応を生じる標識物質を保持する標識保持部と，被検出物質と抗原抗体反応を生じる固定化用物質が固定された判定部とを備える。
【０００４】
従来のイムノクロマトグラフィの手順は，通常，試薬反応容器内に試料を注入し，さらに，試薬反応容器内に試験片を挿入した後，試薬反応容器を机の上に置かれた収容ケースなどの試薬反応容器立てに配置し，２０分程度放置し，その後，試薬反応容器を試薬反応容器立てから取り出して被検出物質の存在を示すラインの存在の有無を確認するという方法で使用される。この検査中に試料は，上記試験片の，試料添加部，標識保持部及び判定部を通って流れる。
【０００５】
従来の手順を図を用いて説明する。図５は従来の手順で用いられる試薬反応容器の一例であり、（ａ）は正面から、（ｂ）は側面から、（ｃ）は上面からみた概略図である。図７はクロマトグラフィ用試験片の一例であり、（ｄ）は正面から、（ｅ）は側面から見た概略図である。図６は図５の試薬反応容器と図７の試験片を用いた使用状態の一例であり、（ａ）は正面から、（ｂ）は側面から、（ｃ）は上面からみた概略図である。
【０００６】
図７に例示した試験片４はイムノクロマトグラフィ用試験片である。
【０００７】
図７（ｄ），（ｅ）に示すように，試験片４は，表面に粘着層を有するプラスチック板からなる基材５上に，レーヨンの不織布からなる試料添加用部材７と，グラスファイバーの不織布からなる標識保持部材９と，ニトロセルロースの多孔体からなるクロマト用膜担体１１と，セルロースの不織布からなる吸収部材１３とを備える。
【０００８】
試料添加用部材７は，試薬反応容器に収容された試料に浸漬される試料添加部として機能する。標識保持部材９は，試料添加用部材７に接触して配置され，試料中の被検出物質と抗原抗体反応によって結合する標識物質を保持する標識保持部として機能する。クロマト用膜担体１１は，標識保持部材９に接触して配置され，被検出物質と抗原抗体反応によって結合する固定化用物質が固定された判定部を有する。吸収部材１３は，クロマト用膜担体１１と接触するように配置されている。試料添加用部材７が試料に浸漬すると，試料は毛細管現象によって標識保持部材９及びクロマト用膜担体１１を流れて吸収部材１３まで展開される。
【０００９】
クロマト用膜担体１１には，試料展開方向の上流側から順に，ライン状の第１判定部１１Ａ，第２判定部１１Ｂ及び対照部１１Ｃが形成されている。標識保持部材９には，第１標識物質，第２標識物質及び対照用標識物質が保持されている。
【００１０】
第１判定部１１Ａ，第２判定部１１Ｂ及び対照部１１Ｃには，固定化用物質として，それぞれ，抗インフルエンザＡ抗体，抗インフルエンザＢ抗体（以下，それぞれ「抗ＦｌｕＡ抗体」，「抗ＦｌｕＢ抗体」とする。），ビオチンが固定されている。第１標識物質及び第２標識物質は，それぞれ，青色ラテックス粒子で標識された抗ＦｌｕＡ抗体及び抗ＦｌｕＢ抗体であり，対照用標識物質は，赤色ラテックス粒子で標識されたアビジンである。抗ＦｌｕＡ抗体及び抗ＦｌｕＢ抗体は，それぞれ，第１被検出物質であるインフルエンザＡ型ウィルス及び第２被検出物質であるインフルエンザＢ型ウィルス（以下，それぞれ「ＦｌｕＡウィルス」，「ＦｌｕＢウィルス」とする。）と抗原抗体反応により結合する。
【００１１】
例えば，試料中にＦｌｕＡウィルスが含まれていると，標識保持部材９にある標識された抗ＦｌｕＡ抗体は，ＦｌｕＡウィルスの所定部位を認識して，抗原抗体反応により結合して複合体を形成する。次に，クロマト用膜担体１１にある抗ＦｌｕＡ抗体は，ＦｌｕＡウィルスの別の部位を認識して複合体を捕捉する。この複合体は標識として青色ラテックス粒子を含むので，複合体が捕捉されると，第１判定部１１Ａには青色のラインが現れ，ＦｌｕＡウィルスが目視により検出される。
【００１２】
また，アビジンは，クロマト用膜担体１１にある抗ＦｌｕＡ抗体，抗ＦｌｕＢ抗体には捕捉されないが，ビオチンと特異的に結合するので，対照部１１Ｃに固定されたビオチンに捕捉される。アビジンは赤色ラテックス粒子により標識されているので，アビジンが捕捉されると，対照部１１Ｃには赤色のラインが現れ，アビジンが対照部１１Ｃに到達したことが目視される。対照部１１Ｃは，第１判定部１１Ａ及び第２判定部１１Ｂの下流に設けられるので，赤色のラインを確認することにより，試料が第１判定部１１Ａ及び第２判定部１１Ｂを通過したことが確認される。
【００１３】
図５の試薬反応容器は，試験片を試薬反応容器に挿入した際の試験片の第１及び第２判定部１１Ａ，１１Ｂに対応する位置に，試験片３の第１及び第２判定部１１Ａ，１１Ｂを示す表示２４Ａ，２４Ｂを有している。また，試薬反応容器は，試験片を試薬反応容器に挿入した際の試験片の対照部１１Ｃに対応する位置に，試験片の対象部１１Ｃを示す表示２４Ｃを有している。表示２４Ａ、２４Ｂ、２４Ｃは，第１及び第２判定部１１Ａ，１１Ｂ，及び対照部１１Ｃの種別を示している。
【００１４】
表示２４Ａ、２４Ｂ、２４Ｃは，ラベルを試薬反応容器に貼ることによって試薬反応容器に付してもよいし，試薬反応容器に直接印刷する等，別の方法で試薬反応容器に付してもよい。このような表示を試薬反応容器に付すことによって，試験片の第１及び第２判定部１１Ａ，１１Ｂ又は対照部１１Ｃに現れる標識物質の色のラインが，第１及び第２判定部１１Ａ，１１Ｂ又は対照部１１Ｃの何れに現れたのかを判断することができる。
【００１５】
これらの試薬反応容器と試験片を用いた使用状態を図６に示したが、試験片が水平方向に回転した場合の位置と試薬反応容器が水平方向に回転した場合の位置がそれぞれ固定されていないので、試験結果の目視観察時につぎのような不都合が生じる。
【００１６】
目視観察時に試験片の正面位置が試薬反応容器の判定部表示と離れた位置にあった場合には試験片を試薬反応容器内で回転させて判定部のどの表示に対応するのかを判断できるようにしなければならない。
【００１７】
この問題に対しては、図５、図６に示したように試薬反応容器への判定部表示を試薬反応容器の円周の全周にわたって設けることで試験片の正面の角度の試験容器に対する位置にかかわらず判定が行えるようにする工夫が行われている。また、判定部表示を，試薬反
応容器に付す代わりに，試験片自体の対応する位置に付すことも出来る。判定部表示を，試験片自体の対応する位置に付すことによって試験容器の透明性がない場合でも試験片を取り出すことによって判定を行うことも可能である。（特許文献１，２）
【特許文献１】特開２００７−１２１２７０号公報
【特許文献２】特開２００８−５１７３６号公報
【発明の開示】
【発明が解決しようとする課題】
【００１８】
しかし，試薬反応容器への判定部表示を試薬反応容器の円周の全周にわたって設けることは、ラベルの貼り付けによるにせよ印刷によるにせよ手間と費用が掛かることは明らかである。
判定部表示を，試薬反応容器に付す代わりに，試験片自体の対応する位置に付すことは試薬反応容器に付すことに比べてより難しいだけでなく、試薬反応容器から試験片を取り出さずに判定を行うためには試薬反応容器の壁面を通しての観察によることになるので壁面全周の透明性が確保されていることも必要になる。
【００１９】
さらに、試験片の構成によっては、検査中に試薬反応容器内で試験片が反転して検査を行う者が判定部の観察を行いにくいという問題も存在している。
【００２０】
従来のクロマトグラフィ用試薬反応容器は，種々の問題を有しており，とくに、以上の問題は、大量の試験を短時間に行う場合に、とくに障害になる問題であり、より安全で効率的な試薬反応容器が望まれていた。
【課題を解決するための手段】
【００２１】
本発明の請求項１の発明は、試験片が挿入される開口を有する受け入れ部と，底部に試料を収容する試料収容部と，前記受け入れ部と前記試料収容部との間に位置する中間部とを備える試薬反応容器であって，底部内側に試験片の回転を防止するための突起状のリブを設けたことを特徴とする試薬反応容器である。
本発明の請求項２の発明は、前記試薬反応容器の内面は長手方向に直角な断面が略楕円状であり、前記リブがその長径に平行な部分の内側に設けられていることを特徴とする請求項１に記載の試薬反応容器である。
本発明の請求項３の発明は、前記試薬反応容器は，前記試験片を試薬反応容器に挿入した際の試験片の判定部に対応する位置に，試験片の判定部を示す表示を有することを特徴とする請求項１または２に記載の試薬反応容器である。
【発明の効果】
【００２２】
試薬反応容器の底部の内側に設けた突起状のリブにより、試験片を試薬反応容器底部まで挿入した時の試薬反応容器に対する試験片の水平方向の角度が固定され、試験容器の前面にある判定部の表示と試験片の正面が同時に観察出来る状態に出来るので短時間で結果の判定が容易に出来る。
【００２３】
試薬反応容器の内部の断面が略楕円状になっていることにより、試験片の回転が防止されて常に内部の断面の長径方向に平行になっているので、試薬反応容器底部内側の突起状のリブを内部の断面の長径方向壁面の内側に設けることによって試薬反応容器の前面から試験片の正面を見られる状態にすることが容易に出来る。
【００２４】
試験片を試薬反応容器に挿入した際の試験片の判定部に対応する位置に，試験片の判定部を示す表示を有することにより、試験片自体に判定部を示す表示を施す必要がなく簡便に結果の判定が可能である。
【００２５】
この試薬反応容器は，イムノクロマトグラフィ用試験片と共に用いてもよく，抗原抗体反応を用いないクロマトグラフィ用試験片や，クロマトグラフィを用いない試験片などと共に用いてもよい。試験片の具体例としては，尿試験紙，水質検査試験紙，ホルムアルデヒド測定用試験紙，湿度インジケーターカード，ｐＨ試験紙，リトマス試験紙などが挙げられる。
【発明を実施するための最良の形態】
【００２６】
以下，本発明の実施形態の例を図面を用いて説明する。
【００２７】
ここでは，イムノクロマトグラフィ用試薬反応容器を例にとって説明を進めるが，以下の記載内容は，イムノクロマトグラフィ以外のクロマトグラフィ用試薬反応容器についても同様に当てはまる。
【００２８】
図１は本発明の試薬反応容器の一例を示す図である。図１の（ａ）は正面から（ｂ）は側面から（ｃ）は上面からのそれぞれ概略説明図である。この試薬反応容器１は，一端に試料および試薬反応容器１に挿入されて用いられるイムノクロマトグラフィ用試験片４を受け入れる開口を備えている。
【００２９】
ここで例示したイムノクロマトグラフィ用試験片４については背景技術の項で説明したので詳細は省略する。
【００３０】
本発明の試薬反応容器１は，開口を有する受け入れ部１５と，底部に試料を収容する試料収容部１７と，受け入れ部１５と試料収容部１７との間に位置する中間部１８とを有する。
【００３１】
受け入れ部１５は，試薬反応容器１の長手方向（試薬反応容器１の底部から開口に向かう方向）に対して直角な面の内側の断面の形状が，略円形であり、中間部１８と試料収納部１７も相似の形状をしている。
【００３２】
本発明の特徴の一つは、試薬反応容器の底部内側に試験片の回転を防止するための突起状リブを設けたことである。図１には試薬反応容器１の試料収納部１７の内側に突起状リブ１００を一対設けた場合の例を示した。
【００３３】
図１に示した突起状リブ１００は上面から見ると（ｃ）のように底部内面の図の上下に一対設けられており、その角度は試薬反応容器１の外側に設けられた判定部表示ラベル２４と略同一の方向、すなわち、試験片４を試薬反応容器１に挿入した際の試験片４の判定部に対応する位置に，試験片の判定部を示す表示が来る方向になっている。
また、突起状リブ１００は側面から見ると（ｂ）のように、開口１５から試験片４を挿入したときに試薬反応容器１の内部の器壁に引っかからずに底部まで届くように底のほうに行くにつれて間隔が狭まってくる形状が望ましい。
この場合は、突起状リブによって狭められた試薬反応容器の内部の断面の長径が試験片４の幅よりも長く、短径が試験片４の幅よりも短く試験片４の厚さよりも長くなければならないのは当然のことである。
この試薬反応容器１をイムノクロマトグラフィ用試験片４とともに使用する場合の概略図を図２に示した。
図２の（ａ）は試薬反応容器１に試験片４を挿入した状態を正面（判定部表示ラベル２４が設けられている角度）から見た説明図であり、判定部表示ラベル２４の表現は、第一判定部の表示ラベル２４Ａが「Ａ」、第二判定部の表示ラベル２４Ｂが「Ｂ」、対照部の表示ラベル２４Ｃが「Ｃ」となっている。
試薬反応容器１に挿入された試験片４は底部に設けられた一対の突起状リブ１００によっ
てその下部の試薬反応容器に対する水平方向の角度が略固定され、試験片４のクロマト用担体１１が見える角度になっているため試薬反応容器１の正面から判定部表示ラベルと試験片の判定部位置に対応するクロマト用担体を同時に観察できる。
これによって試験完了後の試験片４のクロマト用担体１１に現れた標識色が第一判定部１１Ａ、第二判定部位置１１Ｂあるいは対照部位置１１Ｃに対応するものであるかどうかを判定部表示ラベル２４と同時に視認しながら容易に判定できる。
【００３４】
上記のように、試薬反応容器１の、試験片４を試薬反応容器１に挿入した際の試験片４のクロマト担体の判定部１１に対応する位置に，試験片の判定部を示す表示２４を有することによって結果の判定が容易になるが、試験片４の挿入時に判定部１１に対応する角度を試薬反応容器の底部を確認しながら行うのは面倒であり、試験片４が操作中にねじれたりするような剛性のないものである場合等には、試薬反応容器１の受け入れ部１５、中間部１８、試料収容部１７を含めて試験片の回転を抑制することが望まれる。
【００３５】
試薬反応容器１の上下方向、すなわち試薬反応容器１の長径方向での上記の関係は試験片の寸法により決まってくるが、試薬反応容器１の周方向では試験片４の水平方向での回転の可能性により変動する。試験片４を回転させて試験片４の正面を試薬反応容器１の判定部表示２４に合わせることは煩雑である。
【００３６】
本発明の望ましい形態は上記の問題を解決する方法として、試薬反応容器の内部の断面を略楕円状にすることにより、試験片４の回転が防止されて試験片４が常に内部の断面の長径方向に平行になっているようにすることが出来る。これによって、試薬反応容器に突起状リブ１００を内部の断面の長径方向壁面の底部内側に設けることによって試薬反応容器の前面から試験片４の正面を容易に見られる状態にする効果をさらに広く応用できる。この場合は、試薬反応容器の内部の断面の長径が試験片４の幅よりも長く、試薬反応容器の内部の断面の短径が試験片４の幅よりも短く試験片４の厚さよりも長くなければならないのは当然のことである。
【００３７】
図３は試薬反応容器の内部の断面が略楕円状になっている本発明の試薬反応容器の一例を示し、この試薬反応容器２をイムノクロマトグラフィ用試験片４とともに使用する場合の概略図を図４に示した。以下、図３および図４で示した試薬反応容器２を例に説明する。
【００３８】
本発明のクロマトグラフィ用試薬反応容器は、試験片が挿入される開口を有する受け入れ部と，底部に試料を収容する試料収容部と，前記受け入れ部と前記試料収容部との間に位置する中間部とを備える試薬反応容器であって，底部内側に試験片の回転を防止するための突起状のリブを設けたことを特徴とする試薬反応容器である。
【００３９】
具体的な例を挙げると、図３に示したように、試験片が挿入される開口を有する受け入れ部１５と，底部に試料を収容する試料収容部１７と，前記受け入れ部１５と前記試料収容部１７との間に位置する中間部１８とを備える試薬反応容器にリブ１００を設けた試薬反応容器２である。
【００４０】
試薬反応容器２のリブ１００を除いた形状は底部を有する略円筒状であるが、内部の断面は図３（ｃ）に示すように略楕円状になっている。内部の断面の形状が略楕円状になっている理由は前記のように試験片の試薬反応容器内部での水平方向での回転を防止して、試験片の前面が試薬反応容器の正面すなわち判定部表示のある角度から容易に見えるようにするためである。
【００４１】
従って、試薬反応容器内部の断面の形状と寸法は試験片が容易に底部まで挿入できるこ
とおよび挿入した試験片の水平方向の回転を目視確認に必要な範囲で抑えられることが条件であり、前記形状は楕円以外でも可能であり前記寸法は試験片の形状と寸法によってその範囲が決められる。また、試薬反応容器の外部の形状についてはとくに制限はないが、試験片の判定部を試薬反応容器の透明部分を通して観察するためには透明部分はレンズ効果のない平板に近いほうが望ましく、製造の効率とコスト面から考えても内部の断面と相似の形状であることが望ましい。
【００４２】
図３に示すように、本発明のクロマトグラフィ用試薬反応容器２には試験片の回転を防止するための突起状リブ１００がその長径に平行な部分の底部内側に設けられている。このリブ１００の形状と上下方向の位置は試験片が容易に底部まで挿入できることおよび挿入した試験片の水平方向の回転を目視確認に必要な範囲で抑えられることが条件であり、その範囲であれば格別に制約はない。突起状リブが底部に設けられている理由のひとつは試料収容部１７以外に設けた場合は試験片４と突起状リブが接触して試験の実施に不都合を来たすことを避けることにあり、試験片４の性状によっては起こりうるためでもある。図３には前記リブ１００の数が一対の場合を示したが前記機能が達成されれば数にはこだわらない。
【００４３】
前記のリブ１００の試薬反応容器２の水平の周方向に関する位置は、図３（ｃ）に示すように、試薬反応容器２の内面の長手方向に垂直な断面の長径に平行な部分の内側であり、これによって、図４（ａ）、（ｂ）、（ｃ）に示すように、試験片４を試薬反応容器２に挿入した際の試験片４の判定部１１に対応する位置に，試験片の判定部を示す表示２４を試薬反応容器２のリブ１００の対向側すなわち前面に設けることが可能になる。
【００４４】
試薬反応容器２は，試験片４を試薬反応容器２に挿入した際の試験片４の第１及び第２判定部１１Ａ，１１Ｂに対応する位置に，試験片４の第１及び第２判定部１１Ａ，１１Ｂを示す表示２４Ａ，２４Ｂを有している。表示２４Ａ，２４Ｂは，図３（ａ）および図４（ａ）では，それぞれ，「Ａ」，「Ｂ」である。また，試薬反応容器２は，試験片４を試薬反応容器２に挿入した際の試験片４の対照部１１Ｃに対応する位置に，試験片４の対照部１１Ｃを示す表示２４Ｃを有している。表示２４Ｃは，図３（ａ）および図４（ａ）では，「Ｃ」である。表示２４Ａ、２４Ｂ、２４Ｃは，第１及び第２判定部１１Ａ，１１Ｂ，及び対照部１１Ｃの種別を示している。
【００４５】
表示２４Ａ、２４Ｂ、２４Ｃは，「Ａ」，「Ｂ」及び「Ｃ」が印刷されたラベル２４を試薬反応容器２に貼ることによって試薬反応容器２に付してもよいし，試薬反応容器２に直接印刷する等，別の方法で試薬反応容器２に付してもよい。このような表示を試薬反応容器２に付すことによって，試験片４の第１及び第２判定部１１Ａ，１１Ｂ又は対照部１１Ｃに現れる標識物質の色のラインが，第１及び第２判定部１１Ａ，１１Ｂ又は対照部１１Ｃの何れに現れたのかを容易に判断することができる。
【００４６】
試薬反応容器２は，射出成形やブロー成形など周知の成型方法で製造することができる。試薬反応容器２は，リブ１００を含めた全体を一体で成型して製造してもよく，射出成形やブロー成型などで作製した２つ以上の部品を組み合わせることによって製造してもよい。
【００４７】
試薬反応容器２は，透明であっても非透明でもあってもよいが，試験片４の判定部（対照部がある場合は判定部及び対照部）に対応する部分は，透明であることが好ましい。この場合，試験片４を試薬反応容器２から取り出すことなく検査結果の確認が可能であるからである。また，試薬反応容器２は，試料収容部１７が透明であることが好ましい。この場合，注入した試料の量を容易に確認することができるからである。試薬反応容器２は，全体が透明であることが好ましい。試薬反応容器２の材質は特にこだわらないが、透明性
の点と成型の容易さからアクリル樹脂等の透明プラスチックが望ましい。
【００４８】
本発明のクロマトグラフィ用試薬反応容器の使用方法の一例について、図４および図７を用いて説明する。図４（ａ）は，図３の試薬反応容器の使用状態を示す正面図であり，図４（ｂ）は，その側面図である。図７はイムノクロマトグラフィ用試験片の説明図である。
【００４９】
まず，患者の鼻腔吸引液などの検体を展開溶媒に希釈して調製した試料を試薬反応容器２内に所定量注入する。次に，試験片４を試薬反応容器２に挿入する。
【００５０】
この状態で，１０〜２０分程度放置すると，試料が毛管現象により，試料添加用部材７，標識保持部材９，クロマト用膜担体１１，吸収部材１３を順次移動する。試料が，標識保持部材９を通過する際に，標識保持部材９に保持されている標識物質（第１，第２及び対照用標識物質）が展開溶媒に溶出する。試料中にＦｌｕＡウィルス又はＦｌｕＢウィルスが含まれていると，背景技術の項で既述の作用により，第１判定部１１Ａ又は第２判定部１１Ｂには青色のライン（図示せず）が現れる。また，ウィルスの有無に関わらず，対照部１１Ｃに赤色のライン（図示せず）が現れる。
【００５１】
試験片４や試薬反応容器２の，第１判定部１１Ａ又は第２判定部１１Ｂに対応する位置に表示を付していない場合，青色のラインが現れたときにそのラインが第１判定部１１Ａと第２判定部１１Ｂのどちらに現れたものであるかの判断が難しい。しかし，本発明の試薬反応容器では，試薬反応容器２の，第１判定部１１Ａ又は第２判定部１１Ｂに対応する位置に「Ａ」，「Ｂ」という表示２４Ａ，２４Ｂを付しているので，判断が容易である。また，試薬反応容器２の，対照部１１Ｃに対応する位置に表示２４Ｃを付しているので，現れた赤いラインが対照部１１Ｃに現れたものであることの判断が容易である。
【００５２】
本発明のクロマトグラフィ用試薬反応容器２では，試薬反応容器の内部断面が略楕円形状になっているため、試験片４は，試薬反応容器２内で反転することができず，試験片４を一旦試薬反応容器２内に挿入すると試験片４の向き（表向き又は裏向きか）が確定する。例えば，複数の試薬反応容器２を並べて配置し，それぞれの試薬反応容器２に異なる人から採取した試料を入れ，それぞれの試薬反応容器２に試験片４を挿入して，複数の試料の検査を同時に行うとき，その結果の観察も一方向から行いたい場合があるが，本発明のクロマトグラフィ用試薬反応容器では，試験片４が試薬反応容器２内で反転しないので，試薬反応容器２の方向を揃えることによって，複数の試料の検査を同時に行うとき，その結果の観察を一方向から行うことが容易である。
さらに、本発明のクロマトグラフィ用試薬反応容器では、試薬反応容器２の底部の内側に設けた突起状のリブにより、試験片を試薬反応容器底部まで挿入した時の試薬反応容器に対する試験片の水平方向の角度が固定され、試験容器の前面にある判定部の表示と試験片の正面が同時に観察出来る状態に出来るので短時間で結果の判定がより容易になる。
【００５３】
本発明のクロマトグラフィ用試薬反応容器を用いて行う検査は，ここまで例示してきた実施形態に限定されるものではなく，試験片としては種々の構成のものの応用が可能である。
【００５４】
被検出物質は抗原抗体反応を生じる物質であれば特に限定されず，細菌，原生生物や真菌などの細胞，ウィルス，タンパク質，多糖類などが挙げられる。
【００５５】
図７に示した試験片４の基材５は，試料添加用部材７や標識保持部材９などの部材を適切に配置するためのものであり，プラスチック以外にも紙やガラスなど種々の材質のものを用いることができる。試料添加用部材７は，レーヨン以外にも，グラスファイバー又は
セルロースファイバーなどの種々の素材で形成することができる。標識保持部材９は，グラスファイバー以外にも，セルロースファイバーなどの種々の素材で形成することができる。クロマト用膜担体１１は，ニトロセルロース以外にも，ナイロン（例えば，カルボキシル基やアルキル基を置換基として有してもよいアミノ基が導入された修飾ナイロン），ポリビニリデンジフルオリド（ＰＶＤＦ），セルロースアセテートなどの種々の素材で形成することができる。吸収部材１３は，セルロース以外にも，グラスファイバーなどの種々の素材で形成することができる。試料添加用部材７，標識保持部材９，クロマト用膜担体１１及び吸収部材１３には，不織布又は多孔体以外にも，毛管現象により試料を展開可能な種々の構造のものを用いることができる。
【００５６】
クロマト用膜担体１１は，被検出物質の種類に応じて判定部を１つだけ備えてもよく，２つ以上備えてもよい。また，クロマト用膜担体１１は，対照部を備えなくてもよい。また，判定部・対照部は，ライン状でなくてもよく，例えば円状，方形状などに形成してもよい。標識保持部材９は，標識物質を１種だけ保持してもよく，２種以上保持してもよい。また，標識保持部材９は，対照用標識物質を保持しなくてもよい。標識物質は，青や赤以外のラテックス粒子や，金などの金属コロイド，色素分子などで標識されてもよい。標識物質が２種以上ある場合，各標識物質は，互いに異なる色に標識されても，同じ色に標識されてもよい。さらに標識物質及び対照用標識物質は，互いに異なる色に標識されても，同じ色に標識されてもよい。
【００５７】
固定化用物質及び標識物質には，種々の抗体又は抗原を用いることができる。すなわち，被検出物質が抗原である場合，固定化用物質及び標識物質は，この抗原と抗原抗体反応を生じる抗体を用い，被検出物質が抗体である場合，固定化用物質及び標識物質は，この抗体と抗原抗体反応を生じる抗原又は被検出物質である抗体と抗原抗体反応を生じる抗体を用いることができる。
【００５８】
対照部の固定化用物質と対照用標識物質は，ビオチンとアビジンの組み合わせ以外であってもよい。例えば，抗原抗体反応により結合する組み合わせであってもよい。例えば，対照用標識物質に抗原を用い，対照部の固定化用物質にこの抗原と抗原抗体反応を生じる抗体を用いる。この逆であってもよい。対照用標識物質には，被検出物質や判定部の固定化用物質と抗原抗体反応しないものを用いる。
【００５９】
本発明のクロマトグラフィ用試薬反応容器は，これまで説明してきたようなイムノクロマトグラフィ用試験片ではなく，抗原抗体反応を用いないクロマトグラフィ用試験片や，クロマトグラフィを用いない試験片などと共に用いてもよい。
【００６０】
試験片の具体例としては，尿試験紙，水質検査試験紙，ホルムアルデヒド測定用試験紙，湿度インジケーターカード，ｐＨ試験紙，リトマス試験紙などが挙げられる。
【００６１】
例えば，尿試験紙を用いることにより，尿中のグルコース，オキシプリン，タンパク質（例えば，尿中アルブミン）などを定量的又は定性的に検出することができる。尿中のグルコースを検出する場合，試験紙のクロマト用膜担体の判定部には，酵素（グルコースオキシダーゼ，ペルオキシダーゼなど）と色原体とを保持させることができる。尿中のタンパク質を検出する場合，緩衝剤とｐＨ指示薬（例えば，テトラブロモフェノールブルーなど）を判定部に保持させることができる。
【００６２】
水質検査試験紙を用いることにより，試料（例えば，井戸水，水道水，河川水など）のｐＨ，硬度，塩素，亜硝酸性窒素，硝酸性窒素，アンモニ性窒素，リン酸イオン，金属イオン（例えば，銅イオンや鉄イオンなど）などを検出することができる。
ホルムアルデヒド測定用試験紙を用いることにより，建材や接着剤などから発生するホル
ムアルデヒドを検出することができる。
【００６３】
湿度インジケーターカードを用いることにより，試料（気体）の湿度を検出することができる。
【００６４】
リトマス試験紙を用いることにより，試料が酸性，中性及びアルカリ性の何れであるかを判定することができる。
【００６５】
以上のように、試薬反応容器の底部の内側に設けた突起状のリブにより、試験片を試薬反応容器底部まで挿入した時の試薬反応容器に対する試験片の水平方向の角度が固定され、試験容器の前面にある判定部の表示と試験片の正面が同時に観察出来る状態に出来るので短時間で結果の判定が容易に出来るとともに、試薬反応容器の内部の断面を略楕円状にすることにより、内部に挿入された試験片の回転が防止されて試験片が常に内部の断面の長径方向に略平行に保つことが出来、試験片の判定部に対応する位置に，試験片の判定部を示す表示を試薬反応容器のリブの対向側すなわち前面に設けることで大量の試験を短時間に行う場合に、安全で使い易いクロマトグラフィ用試薬反応容器を提供することが出来た。
【図面の簡単な説明】
【００６６】
【図１】本発明の試薬反応容器の一例（ａ）正面から（ｂ）側面から（ｃ）上面からの概略説明図。
【図２】本発明の試薬反応容器の使用例（ａ）正面から（ｂ）側面から（ｃ）上面からの概略説明図。
【図３】本発明の試薬反応容器の一例（ａ）正面から（ｂ）側面から（ｃ）上面からの概略説明図。
【図４】本発明の試薬反応容器の使用例（ａ）正面から（ｂ）側面から（ｃ）上面からの概略説明図。
【図５】従来の試薬反応容器の一例（ａ）正面から（ｂ）側面から（ｃ）上面からの概略説明図。
【図６】従来の試薬反応容器の使用例（ａ）正面から（ｂ）側面から（ｃ）上面からの概略説明図。
【図７】試験片の一例（ｄ）正面から（ｅ）側面からの概略説明図。
【符号の説明】
【００６７】
１…本発明の試薬反応容器の一例
２…本発明の試薬反応容器の一例
３…従来の試薬反応容器の一例
４…試験片の一例
５…試験片基材
７…試料添加用部材
９…標識保持部材
１１…クロマト用膜担体
１１Ａ…第一判定部位置
１１Ｂ…第二判定部位置
１１Ｃ…対照部位置
１３…吸収部材
１５…受け入れ部
１７…試料収容部
１８…中間部
２４…表示ラベル
２４Ａ…第一判定部の表示ラベル
２４Ｂ…第二判定部の表示ラベル
２４Ｃ…対照部の表示ラベル
１００…突起状リブ
【図１】
2010091448.tif 000003
【図２】
2010091448.tif 000004
【図３】
2010091448.tif 000005
【図４】
2010091448.tif 000006
【図５】
2010091448.tif 000007
【図６】
2010091448.tif 000008
【図７】
2010091448.tif 000009